(57)【要約】      （修正有）【課題】果物を受皿体上に切り分けることができ、皿や食器に移し替えることなく、そのまま、受皿体を食器として食することができ、かつ、受皿体は果物を載置収容可能なまな板兼用となっているので、切断板刃の刃圧を受けることができ、それだけ、使用の利便性及び快適性を向上することができる果物切断調理器を提供する。【解決手段】把持枠体２の内方に果物を切分可能な複数個の切断板刃３が放射状に配置され、複数個の切断板刃の中心部分に果物の芯部分を刳貫除去可能な刳貫筒刃４が配置された押下切断体１と、果物を載置収容可能な皿形状のまな板兼用の受皿体５とを備える。【選択図】図２
0003211530.tif 000002
【実用新案登録請求の範囲】
【請求項１】
把持枠体の内方に果物を切分可能な複数個の切断板刃が放射状に配置され、該複数個の切断板刃の中心部分に該果物の芯部分を刳貫除去可能な刳貫筒刃が配置された押下切断体と、上記果物を載置収容可能なまな板兼用の受皿体とを備えてなることを特徴とする果物切断調理器。
【請求項２】
上記切断板刃は上記果物を八等分に切分可能に八個形成してなることを特徴とする請求項１記載の果物切断調理器。
【考案の詳細な説明】
【技術分野】
【０００１】
本考案は、例えば、りんご、梨、パイナップル、小玉すいか等の果物を切り分け切断する際に用いられる果物切断調理器に関するものである。
【背景技術】
【０００２】
従来、この種の果物切断調理器として、把持枠体の内方に果物を切分可能な複数個の切断板刃が放射状に配置され、複数個の切断板刃の中心部分に果物の芯部分を刳貫除去可能な刳貫筒刃が配置された押下切断体を備えてなる構造のものが知られている。
【先行技術文献】
【特許文献】
【０００３】
【特許文献１】特開２００２−２８８９２
【特許文献２】実開昭５４−１５４３８７号
【考案の概要】
【考案が解決しようとする課題】
【０００４】
しかしながら上記従来構造の場合、例えば、切断すべき果物をまな板上に載置し、上記押下切断体の把持枠体を両手で把持して押下切断体を果物の真上から押下し、果物の芯部分を刳貫筒刃により刳り貫くと共に放射状に配置された複数個の切断板刃により果物を切り分け、切り分けられた果物はまな板上に分散することになり、そして、切り分けられた果物をまな板上から皿や食器に移し替えて食することになり、このため、一旦、切り分けられた果物をまな板上から皿や食器に移し替える必要があり、それだけ、使用の利便性及び快適性を低下させることがあるという不都合を有している。
【課題を解決するための手段】
【０００５】
本考案はこれらの不都合を解決することを目的とするもので、本考案のうちで、請求項１記載の考案は、把持枠体の内方に果物を切分可能な複数個の切断板刃が放射状に配置され、該複数個の切断板刃の中心部分に該果物の芯部分を刳貫除去可能な刳貫筒刃が配置された押下切断体と、上記果物を載置収容可能なまな板兼用の受皿体とを備えてなることを特徴とする果物切断調理器にある。
【０００６】
又、請求項２記載の考案は、上記切断板刃は上記果物を八等分に切分可能に八個形成してなることを特徴とするものである。
【考案の効果】
【０００７】
本考案は上述の如く、請求項１記載の考案にあっては、切断すべき果物を受皿体に載置収容し、上記把持枠体を把持して押下切断体を果物の真上から押下し、果物の芯部分を刳貫筒刃により刳り貫くと共に放射状に配置された複数個の切断板刃により果物を切り分け、果物を受皿体上に切り分けることができ、切り分けられた果物は受皿体上に収容されているので、皿や食器に移し替えることなく、そのまま、受皿体を食器として食することができ、かつ、受皿体は果物を載置収容可能なまな板兼用となっているので、切断板刃の刃圧を受けることができ、それだけ、使用の利便性及び快適性を向上することができる。
【０００８】
又、請求項２記載の考案にあっては、上記切断板刃は上記果物を八等分に切分可能に八個形成してなるから、りんご、梨、パイナップル、小玉すいか等を丁度、食べ易い大きさに切り分けることができ、使用の利便性を向上することができる。
【図面の簡単な説明】
【０００９】
【図１】本考案の実施の形態例の全体斜視図である。
【図２】本考案の実施の形態例の全体分解斜視図である。
【図３】本考案の実施の形態例の全体平面図である。
【図４】本考案の実施の形態例の正断面図である。
【図５】本考案の実施の形態例の底面図である。
【図６】本考案の実施の形態例の使用状態の参考斜視図である。
【考案を実施するための形態】
【００１０】
図１乃至図６は本考案の実施の形態例を示し、１は押下切断体であって、この場合、図１、図２、図３、図４の如く、把持枠体２の内方に果物Ｗを切分可能な複数個の切断板刃３・・が放射状に配置され、複数個の切断板刃３・・の中心部分に果物Ｗの芯部分Ｗ１を刳貫除去可能な刳貫筒刃４を配置して構成している。
【００１１】
この場合、上記把持枠体２は合成樹脂製にして、両側部に把持部２ａ・２ａが通穴２ｂ・２ｂにより形成され、また、上記切断板刃３・・にあっては、金属製、この場合、ステンレス製の四枚の板材３ａ・・をそれぞれ略Ｕ状に折曲し、板材３ａ・・の下縁に刃部３ｂ・・が形成され、把持枠体２の中心部分に金属製、この場合、ステンレス製の刳貫筒刃４を配置し、刳貫筒刃４の下縁に刃部４ａが形成され、刳貫筒刃４の外周面に等配状に四枚の板材３ａ・・の折曲部分を溶接すると共に四枚の板材３ａ・・の先端部分を把持枠体２の内穴２ｃの内周面の八個の溝部２ｄ・・に挿入配置し、これにより上記切断板刃３は上記果物Ｗを八等分に切分可能に八個形成して構成している。
【００１２】
５は受皿体であって、この場合、合成樹脂製にして、上記果物Ｗを載置収容可能な大きさの皿状に形成され、かつ、切断板刃３・・の刃圧を受圧可能な材質や強度をもつまな板を兼ねるように構成している。
【００１３】
この場合、受皿体５にあっては、図４、図５の如く、受皿体５の底面にゴムや樹脂製、この場合、シリコン樹脂製の滑止体５ａが複数個配設され、この場合、十二個の滑止体５ａ・・を貼着形成しており、又、受皿体５は底板５ｂの周囲に立上壁５ｃを立設してなり、立上壁５ｃの内周面５ｄに把持枠体２の下部外周面２ｅが嵌合可能に形成されている。
【００１４】
この実施の形態例は上記構成であるから、図４の如く、りんご、梨、パイナップル、小玉すいか等の切断すべき果物Ｗを受皿体５に載置収容し、上記把持枠体２の把持部２ａ・２ａを両手で把持して押下切断体１を果物Ｗの真上から押下し、果物Ｗの芯部分Ｗ１を刳貫筒刃４により刳り貫くと共に放射状に配置された複数個の切断板刃３・・により果物Ｗを切り分け、図６の如く、果物Ｗを受皿体５上に切り分けることができ、切り分けられた果物Ｗは受皿体５上に収容されているので、皿や食器に移し替えることなく、そのま、受皿体５を食器として食することができ、かつ、受皿体５は果物Ｗを載置収容可能なまな板兼用となっているので、切断板刃３・・の刃圧を受けることができ、それだけ、使用の利便性及び快適性を向上することができる。
【００１５】
又、この場合、図３、図６の如く、上記切断板刃３・・は上記果物Ｗを八等分に切分可能に八個形成してなるから、りんご、梨、パイナップル、小玉すいか等を丁度、食べ易い大きさに切り分けることができ、使用の利便性を向上することができる。
【００１６】
又、この場合、図５の如く、上記受皿体５の底面に滑止体５ａを配設しているから、受皿体５の不測のずれを防ぐことができ、使用の安全性を高めることができる。
【００１７】
又、この場合、図５の如く、上記受皿体５は底板５ｂの周囲に立上壁５ｃを立設してなり、立上壁５ｃの内周面５ｄに把持枠体２の下部外周面２ｅが嵌合可能に形成されているから、受皿体５の内周面５ｄと把持枠体２の下部外周面２ｅとの嵌合により把持枠体２からの受皿体５の不測の分離離脱を防ぐことができ、刃部３ｂ・４ａに対する使用の安全性を高めることができる。
【００１８】
尚、本考案は上記実施の形態例に限られるものではなく、例えば、押下切断体１、受皿体５の材質や大きさや形態は適宜変更して設計されるものである。
【００１９】
以上、所期の目的を充分達成することができる。
【符号の説明】
【００２０】
Ｗ    果物
Ｗ１    芯部分
１    押下切断体
２    把持枠体
３    切断板刃
４    刳貫筒刃
５    受皿体
【図１】
0003211530.tif 000003
【図２】
0003211530.tif 000004
【図３】
0003211530.tif 000005
【図４】
0003211530.tif 000006
【図５】
0003211530.tif 000007
【図６】
0003211530.tif 000008